(57)【要約】 【課題】  内側シリンダー錠用の合鍵が存在しない限り、サムターン装置のロック状態を屋外から解消させることができないようにすること。【解決手段】  ケース本体に取り付けられた内側シリンダー錠と、この内側シリンダー錠の突出先端部に設けられた駆動部材と、駆動部材に係合するようにケース本体に軸支されたロック片と、ケース本体をスライドする摘み操作部材の内部に支持部材を介して設けられたロック機構の構成部材とを備え、お出かけの際に、合鍵を内側シリンダー錠に差し込んで施錠方向へ操作すると、ロック片が駆動部材の駆動力により傾倒し、ロック片の突起状係合部は、構成部材の回転係合片をロックするように係合して摘み操作部材の解錠方向への移動を阻止することを特徴とする。【選択図】  図９
2005344449.tif 000002
【特許請求の範囲】
【請求項１】
ケース本体に取り付けられた内側シリンダー錠と、この内側シリンダー錠の突出先端部に設けられた駆動部材と、駆動部材に係合するようにケース本体に軸支されたロック片と、ケース本体をスライドする摘み操作部材の内部に支持部材を介して設けられたロック機構の構成部材とを備え、お出かけの際に、合鍵を内側シリンダー錠に差し込んで施錠方向へ操作すると、ロック片が駆動部材の駆動力により傾倒し、ロック片の突起状係合部は、構成部材の回転係合片をロックするように係合して摘み操作部材の解錠方向への移動を阻止することを特徴とするサムターン装置。
【請求項２】
請求項１に於いて、ロック片８は、駆動部材２６の駆動カム３０と係合する第１係合部３５と、この第１係合部３５に連設し、かつ、構成部材の回転係合片５５の一端部と係脱可能な突起状の第２係合部３６とを有することを特徴とするサムターン装置。
【請求項３】
請求項１に於いて、ロック機構の構成部材１０は、摘み操作部材６の摘み部から露出していないことを特徴とするサムターン装置。
【請求項４】
請求項１に於いて、ロック機構の構成部材１０は、摘み操作部材６と一体の支持部材９にそれぞれ軸支された複数個の回転係合片を有していることを特徴とするサムターン装置。
【請求項５】
請求項１又は請求項２に於いて、回転係合片は、サムターン駆動軸１２の内端部と係合すると共に、ストッパー部５１を有する第１回転係合片５０と、前記ストッパー部５１と係合する第２回転係合片５３と、第２回転係合片５３及びロック片８の両方に係脱可能な第３回転係合片５５とから成ることを特徴とするサムターン装置。
【請求項６】
請求項１に於いて、駆動部材２６は、ロック片と摺接する非真円状のカム輪郭を有する駆動カム３０を備えていることを特徴とするサムターン装置。
【発明の詳細な説明】
【技術分野】
【０００１】
本発明は、サムターン装置に関し、特に戸（開閉戸、引戸）に取り付けられる錠前のサムターン装置に適する。
【背景技術】
【０００２】
従来、例えば内側の引戸に取り付けられる錠前のサムターン装置は、ケース状の取り付け枠と、この取り付け枠に上下方向にスライド自在に装着され、かつ、取り付け枠の垂直案内長孔から突出する摘み部を有する摘み操作板とから成り、前記摘み操作板には引戸に設けられた引戸錠の施錠片（例えば鎌片）を施錠又は解錠方向へ作動させるためのサムターン駆動軸が設けられていた。
【０００３】
上記構成に於いて、内外の引戸が鎌片を介して施錠されている場合、泥棒が引戸錠の鎌片を後退させようとする時には、例えば重なり合った内側と外側の框の接合面に硬いバーを差込み、無理やりに隙間を作る。そして、先端部が鉤状の針金部材（泥棒の道具の一つ）を隙間から差込み、引戸錠を構成する摘み操作板の摘みに引っ掛けようとする。このような場合、針金部材の先端部が摘み部に引っ掛かると、泥棒は摘み部を介して上手に摘み操作板を上方に持ち上げる。そうすると、鎌片が摘み操作板のスライド、連動部材の移動などを介して後退する。
【０００４】
したがって、摘み操作板を単純に持ち上げる又は押し下げるという操作だけで鎌片が解錠する引戸錠のサムターン装置は、戸のガラスを局部的に破らなくても、不正解除される確立が高いという問題点がある。
【０００５】
そこで、出願人は、特許文献１に記載の発明を提案した。この特許文献１に記載の発明は、泥棒が外から戸の隙間、針金部材などを利用して摘み操作部材を操作し、錠前の鎌片を解錠状態にすることを確実に防止することを目的とする点で有効であるが、摘み操作部材の摘み部以外に、ロック機構の構成部材を構成する解除操作片が前記摘み部から露出するという問題点がある。望ましくは針金等の工具により破壊されないように、前記解除操作片のようなサムータ用のロック部材は、ケース本体から露出しないようにすべきである。
【特許文献１】特開２００３−３０７０５３号公報
【発明の開示】
【発明が解決しようとする課題】
【０００６】
本発明の第１の目的は、ロック機構を構成する部材が針金等の工具により容易に破壊されないようにすると共に、内側シリンダー錠用の合鍵が存在しない限り、屋外からサムターン装置のロック状態を解消させることができようにすることである。第２の目的は、内側シリンダー錠の内筒とロック機構の構成部材との間に介在するロック片をケース本体内に合理的に組み合わせることである。第３の目的は、加味的目的であるが、お出かけの際に、予め内側シリンダー錠の施錠した後であっても、自由に摘み操作部材を施錠方向へ操作することができることである。
【課題を解決するための手段】
【０００７】
本発明のサムターン装置は、ケース本体に取り付けられた内側シリンダー錠と、この内側シリンダー錠の突出先端部に設けられた駆動部材と、駆動部材に係合するようにケース本体に軸支されたロック片と、ケース本体をスライドする摘み操作部材の内部に支持部材を介して設けられたロック機構の構成部材とを備え、お出かけの際に、合鍵を内側シリンダー錠に差し込んで施錠方向へ操作すると、ロック片が駆動部材の駆動力により傾倒し、ロック片の突起状係合部は、構成部材の回転係合片をロックするように係合して摘み操作部材の解錠方向への移動を阻止することを特徴とする。
【０００８】
また、ロック片８は、駆動部材２６の駆動カム３０と係合する第１係合部３５と、この第１係合部３５に連設し、かつ、構成部材の回転係合片５５の一端部と係脱可能な突起状の第２係合部２６とを有することを特徴とする。また、ロック機構の構成部材１０は、摘み操作部材６の摘み部から露出していないことを特徴とする。また、ロック機構の構成部材１０は、摘み操作部材６と一体の支持部材９にそれぞれ軸支された複数個の回転係合片を有していることを特徴とする。また、回転係合片は、サムターン駆動軸１２の内端部と係合すると共に、ストッパー部５１を有する第１回転係合片５０と、前記ストッパー部５１と係合する第２回転係合片５３と、第２回転係合片５３及びロック片８の両方に係脱可能な第３回転係合片５５とから成ることを特徴とする。さらに、駆動部材２６は、ロック片と摺接する非真円状のカム輪郭を有する駆動カム３０を備えていることを特徴とする。
【発明の効果】
【０００９】
（１）内側シリンダー錠を設けたので、不正解錠の防止を有効的に図ることができる。すなわち、内側シリンダー錠用の合鍵が存在しない限り、サムターン装置のロック状態を屋外から解消させることができない。また、請求項３に記載の発明は、ロック機構を構成する部材がケース本体の摘み部等から露出しないので、針金等の工具により容易に破壊されない
（２）内側シリンダー錠と、駆動部材と、ロック片と、ロック機構の構成部材とをケース本体５に対して合理的に組み合わせることができる。
（３）実施例によっては、お出かけの際に、予め内側シリンダー錠の施錠した後であっても、自由に摘み操作部材を下げる（初期位置：鎌片が施錠）ことができる。
【発明を実施するための最良の形態】
【００１０】
以下、図１乃至図１２に示す本発明を実施するための最良の形態により説明する。
【００１１】
（１）発明の実施の環境
図１乃至図１１は、本発明の一実施例を示す各説明図である。１はサムターン装置である。このサムターン装置１は、例えば図３で示すように内側の引戸２に固定的に取り付けられる。錠前の一例としての引戸錠の構成は特に図示しないが、一般に引戸２の框内に設けられ、仮想線で示したように長板状の連動部材３に軸支された施錠片（鎌片）４を有し、施錠片４は相手方の外側引戸或いは戸枠に設けた受け金具に掛合する。本実施例では引戸錠そのものは発明の特定要件ではないので、詳細な説明は割愛する。
【００１２】
図３を参照にしてサムターン装置１の構成部材を大まかに区分けすると、サムターン装置１は、縦長状のケース本体５と、このケース本体５内にスライド自在に内装され、かつ、ケース本体５の案内窓５ａから突出する突起状摘み部を有する摘み操作部材（通称、「サムターン」、ここではサムターン装置１の構成部材の一つ。）６と、前記ケース本体５又は引戸２に固定的に取り付けられた内側シリンダー錠７と、該内側シリンダー錠の内筒の先端部に設けられた駆動部材２６を介して内側シリンダー錠と共働するようにケース本体５内に設けられたロック片８と、このロック片と係脱するように前記摘み操作部材６に設けられたロック機構の構成部材１０と、この前記ロック機構の構成部材１０の第１回転係合片と係合するサムターンの駆動軸１２とを備え、外出の際に、前記内側シリンダー錠に合鍵２４を差込み、所定の方向へ回転操作して施錠すると、該内側シリンダー錠の駆動力により前記ロック片８がロック機構の構成部材１０の少なくとも一つの回転係合片５５に対して係合するように回転し、該ロック片８はロック機構の構成部材１０と協力し合って摘み操作部材６の解錠方向への移動（例えば上方へのスライド）を阻止する。
【００１３】
なお、サムターン装置１のサムターン駆動軸１２は、前述した連動部材３に直接又は間接的に連係しているので、本実施例の駆動軸１２も、図示しない外側シリンター錠の駆動力により、鎌片４乃至連動部材３が解錠方向へ移動すると、それに連動して移動（上下動）する。
【００１４】
以下、本発明の特定要件について順次説明するが、細部的事項については、用語の符号を省略する。
【００１５】
（２）ケース本体５
ケース本体５は、合成樹脂材で長枠状に形成されている。前述したように、５ａはケース本体５の中央部に縦方向に形成された長方形状の案内窓である。
【００１６】
さて、ケース本体５は、上下端部に固着具用取り付け孔を有し、固着具を介して引戸２の内壁面に固定される。また、ケース本体５は裏側に所要の嵌合凹所５ｂを有し、この嵌合凹所５ｂは、少なくとも摘み操作部材６のスライド部分及びロック機構の構成部材１０を収納する大きさを有している。嵌合凹所５ｂの中央部は前記案内窓５ａと連通している。また、ケース本体５の裏側には、上端部から下端部にかけてトラック形状の嵌合部５ｃが形成されており、該嵌合部５ｃには長板状或いは枠状の蓋体１１が嵌り合う。
【００１７】
（３）蓋体１１
蓋体１１は、摘み操作部材６のスライド部分乃至支持部材９を覆うようにケース本体５の裏側に固定される。本実施例の蓋体１１は、ケース本体５の裏側に形成した嵌合部５ｃに嵌合する。もちろん、蓋体１１の嵌合構造は、これに限定するものではなく、例えばケース本体５の裏側に形成した嵌合溝の中に任意形状の蓋体を嵌め込んでも良い。
【００１８】
ここで、図６を参照にして蓋体１１を説明する。蓋体１１の上下端部には、ケース本体５の取り付け孔にそれぞれ符合する複数個の貫通小孔が形成されている。１３は中央部に形成された垂直長孔で、この垂直長孔１３にはサムターン駆動軸１２が貫通状態に突出する。１４は開口部で、この開口部には固定筒２２を介して内側シリンダー錠７が嵌合する。
【００１９】
（４）摘み操作部材６
図３、図６を参照にして説明する。長板状の摘み操作部材６は、ケース本体５の嵌合凹所５ｂ内にスライド自在に組み込まれると、図３で示すようにその摘み部２０の先端部は案内窓５ａから突出する。本実施例の摘み部２０は空洞であるが、その断面は、図３で示すようにチャンネル形状に形成されているから、後述するロック機構の構成部材１０は、摘み操作部材６の摘み部から露出していない。したがって、泥棒が工具を摘み部２０内に差し込むことが不可能である。
【００２０】
該摘み部２０は前記嵌合凹所５ｂの内壁面を摺動するスライド板部２１の中央部から中空角柱状に突出している。摘み操作部材６の内壁側の具体的構成については割愛するが、他の部材の関係を考慮して、例えば取付け孔、切欠、軸孔、係合部、横向き凹所等を適宜に形成する。
【００２１】
（５）内側シリンダー錠７
内側シリンダー錠７は、図３で示すように、固定筒２２及び固着具２３を介してケース本体５又は／及び引戸２に固定的に取り付けられている。本実施例の内側シリンダー錠７は、ケース本体５の下端部に形成され嵌合孔５ｅ乃至切欠凹所５ｆを介して該ケース本体５の裏側に組み込まれ、かつ、固定筒２２及びケース本体５の取付け孔に螺合する複数本の固着具２３を介してケース本体５に固定される。内側シリンダー錠７は他の部材に比して大きいから、引戸２の内壁面には、適宜に切欠部を形成する。
【００２２】
ところで、内側シリンダー錠７は、図示しない外側シリンダー錠と同様の構成である。すなわち、内側シリンダー錠７は、外筒体７ａと内筒体７ｂとから成り、前記内筒体７ｂはキー挿入孔を有する。内側シリンダー錠７は、複数の可動障害子を内蔵し、合鍵２４を前記キー挿入孔に差し込んで内筒体７ｂを所定量回転すると、障害子が移動して、「いわゆるシアーライン」が一致する。内筒体７ｂの駆動力は、出力軸（テールピース）でくなく、本実施例では、内筒体７ｂの突出先端部２５に設けられた駆動部材２６に適宜に与えられる。
【００２３】
（６）内側シリンダー錠７の駆動部材２６
内側シリンダー錠７の突出先端部２５の外周面には、単数又は複数個（本実施例）の係合部（突起、溝など）２５ａが形成されているが、本実施例の駆動部材２６は、嵌合孔の内周面に形成され、かつ、前記突出先端部２５の係合部２５ａと係合する被係合部２８を有する駆動筒２７と、この駆動筒２７の外周壁に形成された一つの突起部２９と係合するように該駆動筒２７に外嵌合し、かつ、内側シリンダー錠７の施錠時、後述するロック片８をロック方向へと押圧する駆動カム３０とから成る。
【００２４】
しかして、前記駆動カム３０は、おむすび形状、ハート型形状、非真円形状等のカム輪郭を有する駆動板部３１を有し、該駆動板部３１には係合部分３２が周方向に設けられている。係合受け部３２の形状は、半円弧状、Ｃ型状、複数個の小突起等に形成されている。本実施例の係合部分３２は、一対の係合端面を有するＣ型状の突起である。  
【００２５】
（７）ロック片８
板状のロック片８は、内側シリンダー錠７と共働するように該内側シリンダー錠７の内筒７ｂの突出先端部２５側に回動可能に設けられている。図５、図８、図９を参照にしてロック片の構成を説明する。図５又は図８で示すように、ロック片は、例えば全体として麒麟のイメージが彷彿される形態であり、上下の各部位に他の部材とそれぞれ係合可能な係合部分を有している。
【００２６】
まず、麒麟の胴体・腰ないし脚部に相当する下部係合部３５は、手前側に駆動カム３０が入り込む門型収容壁３５ａを有している。駆動カム３０は、この門型収容壁３５ａの切欠部内を自由に回転する。一方、門型収容壁３５ａの両端縁部には、略直交方向に連設する垂直係合壁３５ｂが形成され、この垂直係合壁３５ｂ．３５ｂに駆動カム３０の駆動板部３１が摺接する。
【００２７】
次に、麒麟の首・頭部に相当する上部係合部３６は、前記垂直係合壁３５ｂの一方からストレートに延伸し、その上端部には突片状の係合部３６ａが形成されている。この係合部３６ａは短く、門型収容壁３５ａと同方向に指向している。麒麟形態の板状ロック片８は、ケース本体５内に位置付けられ、かつ、ピン状の水平軸３７を介して揺動可能に軸支されている。
【００２８】
（８）支持部材９など
図６を参照にして支持部材９を説明する。長板状に形成された支持部材９は、摘み操作部材６の嵌合凹所５ｂを介して該摘み操作部材６の裏側に固定的嵌め込まれ、かつ、ロック機構の構成部材１０を構成する複数個（例えば３個）の回転係合片５０．５３．５５を軸支する。したがって、摘み操作部材６と支持部材９は一体的である。それ故に、支持部材９は、上下端部に摘み操作部材６の取り付け小孔或いは係合小突起にそれぞれ符合する貫通小孔を有する。また、中央部には垂直長孔４０が形成され、該垂直長孔４０にはサムターンの駆動軸１２の内端部が遊嵌合する。
【００２９】
しかして、支持部材９の中央部には左右一対の腕状軸受け部４１．４１が設けられている。また支持部材９の下端部には、ピン状の支軸４２が設けられている。
【００３０】
ところで、図１０で示すように、支持部材９の垂直長孔４０には駆動軸１２の内端部が遊嵌合するが、該駆動軸１２の内端部は、支持部材９の外壁面に固定的に接合する単数又は複数枚の捕捉板４５が設けられている。捕捉板４５は任意の大きさに形成される。
【００３１】
（９）ロック機構の構成部材１０
ロック機構の構成部材１０は、摘み操作部材６に支持部材９を介して間接的に設けられ、かつ、施錠時、ロック片８と共に該摘み操作部材６を初期位置（鎌片が施錠となる位置）の所でロックする。ロック機構の構成部材１０の各回転係合片５０．５３．５５は、少なくとも摘み操作部材６の空洞摘み部２０から食み出ないように摘み部の内部やケース本体５の嵌合凹所５ｂ内に於いて、支持部材９に軸支されている。これにより、工具の攻撃に対して前記構成部材１０を防御することができる。
【００３２】
さて、通常使用の時（内側シリンダー錠が解錠状態の時）に於いて、普通一般にサンタムー装置の摘み操作部材６を自由に上げ（鎌片が解錠）、下げ（初期位置：鎌片が施錠）することができる。本実施例も同様であり、住人は、室内にいる時は、室内側から摘み操作部材６を上げ（鎌片が解錠）、下げ（初期位置：鎌片が施錠）することができる。この時、本実施例のロック機構の構成部材１０は、図４で示すように、何らロック片８から拘束されない。それ故に、このままの状態で外出すると、泥棒は屋外から道具を利用して摘み操作部材６を上げることが可能である。そこで、本発明は、請求項１に記載の構成を採用した。
【００３３】
住人は、望ましくは、外出（おでかけ）の際、内側シリンダー錠７に合鍵２４を差込み、該内側シリンダー錠７を施錠状態にする。ここで図９を参照にロック片８とロック機構の構成部材１０の少なくとも一つの回転係合片５５との係合関係を説明する。
【００３４】
まず、内側シリンダー錠７に合鍵を差込み、内筒体７ｂを時計方向（矢印Ａ）に所定量回転すると、駆動部材２６が同方向へ回転する。駆動部材２６が回転すると、駆動板部３１のカム輪郭によりロック片８が軸３７を中心に回転傾倒する（図９の右図）。そうすると、ロック片８の係合部３６ａは、ロック機構の構成部材１０の第３回転係合片５５の上方に塞がる（係止可能状態となる）。したがって、この状態では、泥棒は室外から工具を利用して摘み操作部材６を図９の右図の上方方向へ引き上げることはできない（×）。
【００３５】
図５、図６は、ロック機構の構成部材１０の一例を示す。５０はサムターン駆動軸１２の内端部と係合すると共に、下部側にストッパー部５１を有する第１回転係合片である。この第１回転係合片５０は支持部材９の軸受け部４１．４１に横設軸架された横軸４３に軸支されている。
【００３６】
５２は横軸４３に巻装された第１回転係合片５０用のバネで、このバネ５２の一端部は摘み操作部材６に、一方、他端部は第１回転係合片５０の後端部の内壁面に圧接している。したがって、第１回転係合片５０は、バネ５２のバネ力により常時水平状態になるように付勢されている。
【００３７】
５３は前記第１回転係合片５０と係脱可能な第２回転係合片である。この第２回転係合片５３は、支持部材９の支軸４２に軸支されていると共に、第１回転係合片５０のストッパー部５１と常時係合する親指状の係合部５４を有している。
【００３８】
５５は前記第２回転係合片５３及びロック片８の係合部３６ａの両方に係脱可能な棒状第３回転係合片で、この第３回転係合片５５は第２回転係合片５３の一側面に接触するように支持部材９の前記支軸４２に軸支されている。第３回転係合片５５は第２回転係合片５３と別体であり、支軸４２を中心にしてフリーに回転可能である反面、他端部に設けられた係合ピン５６を介して第２回転係合片５３を回転させることができる。
【００３９】
（１０）作用
「通常使用の時」…内側シリンダー錠が解錠状態の時、すなわち、室内に誰かがいる場合の使用態様である。図４は前述したように通常使用の時におけるロック機構の構成部材１０の第３回転係合片５５とロック片８との関係を示す。図４の右側の略図から明らかなように、向こう側に位置する第２回転係合片５３の係合部５４が第１回転係合片５０のストッパー部５１に係合しているために、第３回転係合片５５の反時計方向への回転が阻止されていても、ロック片８の係合部３６ａと何ら干渉しないから、自由に摘み操作部材６を上げ（鎌片が解錠）、下げ（初期位置：鎌片が施錠）することができる。
【００４０】
「内側シリンダー錠の施錠」…普通一般に、防犯上の観点から、お出かけの際に、内側シリンダー錠７を施錠する。図９は前述したようにお出かけの際に内側シリンダー錠７を合鍵２４で施錠した場合の説明図である。
【００４１】
図９から明らかなように、合鍵２４を時計方向へ所定量回すと、内筒体の突出先端部２５の駆動部材２６駆動力により、ロック片８が回転傾倒し、その係合部３６ａがロック機構の構成部材１０の第３回転係合片５５の一端部と係合可能な状態となる。
【００４２】
図７で示すように、第３回転係合片５５は、第２回転係合片５３を介して第１回転係合片５０のストッパー部５１に常時回転を阻止されているから、摘み操作部材６の上方（解錠）方向へ持ち上げようとしても、第３回転係合片５５の手前側の水平端部が何か（ロック片８）に拘束されている限り、当然のことながら該第３回転係合片５５は回転しない。
【００４３】
換言すると、摘み操作部材６は、合鍵２４の操作により内側シリンダー錠を施錠状態にすると、ロック片８及びロック機構の構成部材１０を介して「ロック」されるから、泥棒は、「合鍵」が存在しない限り、摘み操作部材６を持ち上げることができないということになる。
【００４４】
「屋外からの解錠」…外出先から戻ってきた時は、合鍵の操作により外側シリンター錠を解錠状態にする。図１０及び図１１は、図示しない外側シリンター錠を解錠状態にした場合におけるロック機構の構成部材１０の状態を示す説明図である。
【００４５】
先に述べたように、サムターン装置１の駆動軸１２は、連動部材３に連係しているので、外側シリンター錠の駆動力により、鎌片４乃至連動部材３が解錠方向へ移動すると、それに連動して移動する。この時、ロック機構の構成部材１０の第１回転係合片５０は、バネ５２のバネ力に抗して係合解除の方向へと回転するから、第２回転係合片５３は回転可能となる。
【００４６】
つまり、図１１で示すように、外側シリンター錠ないしサムターン駆動軸１２の駆動力により、図１０で示すように、第１回転係合片５０は矢印で示す反時計方向に回転するから、サムターン駆動軸１２と一体的な部材（、支持部材９及び摘み操作部材６）は移動可能となる。そこで、サムターン駆動軸１２の駆動力により、摘み操作部材６が上方方向（図１１の「解錠状態」を示す矢印方向）へ移動すると、第３回転係合片５５はロック片８の係合部３６ａにより回されることになり、その結果、第２回転係合片５３も第３回転係合片５５の係合ピン５６を介して回転する。
【００４７】
（１１）お出かけした時
図１２は、お出かけした時、外側シリンダー錠を操作した時の作動状態を示す説明図である。本実施例のロック機構の構成部材１０は、第１乃至第３回転係合片５０．５３．５５で構成され、特に第１回転係合片５０に、その回転を阻止される回転係合片は、「第２回転係合片５３」と「第３回転係合片５５」に区別されている。これは、お出かけの際に内側シリンダー錠の施錠した後であっても、室外からの合鍵操作により、外側シリンター錠ないしサムターン駆動軸１２の駆動力により摘み操作部材６を下げる（初期位置：鎌片が施錠）必要があるからである。
【００４８】
第２回転係合片５３は、その構成や形態から一方向へ自由に回転することはではないが、第３回転係合片５５は所定寸法の棒状に形成され（一端部側の方が重い）、かつ、第２回転係合片５３とは別体なので、摘み操作部材６を矢印方向へ下げると、図示するようにロック片８の係合部３６ａを介して単独回転する。
【実施例】
【００４９】
発明の実施の形態で示した実施例に於いて、ロック片８の突片状の係合部の形状や数は、任意に設計変更可能である。また、ロック機構の構成部材１０の第２回転係合片５３と第３回転係合片５５を「一つの部材」にすることも可能である。本実施例の前記第３回転係合片５５は、一端部側が他端部側よりも重く設定されているが、両端部のバランス如何によっては、第３回転係合片５５が常時水平状態になるようにバネ部材を設ける必要がある。その他、バネ部材は必要に応じて適宜に設けられる。
【産業上の利用可能性】
【００５０】
本発明は、主に建具や錠前の業界で利用される。
【図面の簡単な説明】
【００５１】
図１乃至図１２は本発明の最良の実施例を示す各説明図。
【図１】斜視からの説明図。
【図２】正面からの説明図。
【図３】主な部材を縦断面にした概略断面説明図。
【図４】摘み操作部材を操作した時の説明図。
【図５】主な部材の分解斜視図（摘み操作部材、ロック機構の構成部材など）。
【図６】主な部材の分解斜視図（内側シリンダー錠、ロック片など）
【図７】支持部材とロック機構の構成部材との関係を示す斜視図。
【図８】ケース本体とロック片との位置関係を示す斜視図。
【図９】内側シリンダー錠を施錠した時におけるロック片の説明図。
【図１０】外側シリンダー錠を解錠した時の説明図。
【図１１】同じく外側シリンダー錠を解錠した時の説明図。
【図１２】お出かけした時、外側シリンダー錠を操作した時の作動状態を示す説明図。
【符号の説明】
【００５２】
1…サムターン装置、２…戸、３…連動部材、４…施錠片、５…ケース本体、６…摘み操作部材、７…内側シリンダー錠、７ａ…外筒体、７ｂ…内筒体、８…ロック片、９…支持部材、１０…ロック機構の構成部材、１１…蓋体、１２…サムターンの駆動軸、２２…固定筒、２３…固着具、２４…合鍵、２５…突出先端部、２６…駆動部材、２７…駆動筒、３０…駆動カム、３１…駆動板部、３２…係合部分、３５…第１（下部）係合部、３６…第２（上部）係合部、３６ａ…係合部、５０．５３．５５…回転係合片。
【図１】
2005344449.tif 000003
【図２】
2005344449.tif 000004
【図３】
2005344449.tif 000005
【図４】
2005344449.tif 000006
【図５】
2005344449.tif 000007
【図６】
2005344449.tif 000008
【図７】
2005344449.tif 000009
【図８】
2005344449.tif 000010
【図９】
2005344449.tif 000011
【図１０】
2005344449.tif 000012
【図１１】
2005344449.tif 000013
【図１２】
2005344449.tif 000014